(57)【特許請求の範囲】
【請求項１】
電源に接続される配線路をスイッチにより開閉し、
第１の抵抗素子及び診断対象のコンデンサを有する診断対象機器を直列接続し、
当該第１の抵抗素子及び診断対象機器に並列に接続され、前記第１の抵抗素子と同一の抵抗値を有する第２の抵抗素子及び前記診断対象機器の正常時における等価回路からなる正常機器を直列接続し、
前記第１の抵抗素子及び診断対象機器の直列回路の電源供給線と第２の抵抗素子及び正常機器の直列回路の電源供給線を一方を順方向、他方を逆方向に電流が流れるように変流器一次側に通過させ、
当該変流器２次側で発生した電流を検出する電流検出手段を接続し、
前記スイッチを投入した後に前記電流検出手段で検出される過渡状態における特性変動により前記診断対象機器を診断することを
特徴とする電気回路診断方法。
【発明の詳細な説明】
【０００１】
【発明の属する技術分野】
本発明は、機器内部の回路に使用されているコンデンサ等の劣化を診断する電気回路診断方法に関する。
【０００２】
【従来の技術】
従来の電気回路診断装置としては、特開昭６２−２３８４７１に開示されるものがあり、これを図１０に示す。図１０は、従来の電気回路診断装置の概念図である。
【０００３】
前記図１０において、従来の電気回路診断装置は、放電抵抗器１０２が両端に接続され、かつ、電荷が充電された電解コンデンサ１０１と、上記放電抵抗器１０２が両端に接続された状態にある上記電解コンデンサ１０１の製品初期時における放電特性を予め記憶した記録装置１２３と、上記電界コンデンサ１０１の放電時における放電電圧を入力し、その放電電圧の減衰が上記記録装置１２３に記録された放電特性の減衰より早いとき、その電界コンデンサ１０１に劣化が生じていると判断する演算装置１２２とを備える構成である。
この放電抵抗器１０２と並列接続されている電圧分圧器１０３と演算装置１２２との間にはアナログ／デジタル変換機１２１が接続される。
【０００４】
前記構成に基づく従来の電気回路診断装置は、演算装置１２２にて、その電解コンデンサ１０１の放電時における放電電圧を入力し、その放電電圧の減衰がその記録装置１２３に記録された放電特性の減衰より大きいとき、その電解コンデンサ１０１に劣化が生じると判別するように構成したので、一時遅れ演算器や信号判別器などを設けずに電解コンデンサ１０１の劣化を判別できるため、一時遅れ演算器等の経年変化を考慮する必要がなくなり、精度の高いものを得ることができる。
【０００５】
また、前記とは別に、従来の電気回路診断装置としては、特開平５−２１５８００に開示されるものがあり、これを図１１に示す。図１１は、従来の電気回路診断装置の概念図である。
前記図１１において、この従来の電気回路診断装置は、電力変換装置であり直流を任意の周波数の交流に変換するパワートランジスタ部２０２に電源であるバッテリ２０１及びモータ２０３が接続され、バッテリ２０１とパワートランジスタ部２０２との間に第１のスイッチＳＷ１及び抵抗２０４が直列に接続され、抵抗２０４にスイッチＳＷ２が並列接続され、パワートランジスタ部２０２に対して並列に電解コンデンサ２０５が接続され、両スイッチＳＷ１、ＳＷ２は図示しない制御装置によりオン、オフ制御される構成である。
【０００６】
前記構成において、スイッチＳＷ１の投入から抵抗２０４を介して充電されるコンデンサ２０５の充電電圧が所定電圧に到達するまでの充電時間が測定され、正常なコンデンサの場合に前記所定電圧まで充電するのに必要な基準時間と前記充電時間が比較され、充電時間が基準時間より短いときにコンデンサ２０５の劣化と判定される。コンデンサ２０５が正常であっても電源電圧が変化すると所定電圧に達するまでの充電時間も変化する。電源がバッテリ２０１であると、バッテリ２０１の放電により電源電圧が変化する。しかし、基準時間が当該充電時間測定時のバッテリ電圧を基準として設定されるため、電源電圧が変化しても、コンデンサ２０５の劣化診断に支障を来さない。
【０００７】
【発明が解決しようとする課題】
従来の特開昭６２−２３８４７１に開示される電気回路診断装置は以上のように構成されていたことから、診断対象は長期間使用されている間にコンデンサと並列接続される回路のインピーダンス低下方向の劣化がある場合は、このインピーダンス低下により劣化判断を誤るという課題を有する。即ち、電気回路中のコンデンサ１０１が正常であるにも拘らず、コンデンサ１０１と並列接続されるインピーダンスの劣化によりコンデンサ１０１の充電時間が変化してコンデンサ１０１が劣化したかの如く判断されるという課題を有する。他方、電気回路中のコンデンサ１０１が異常であるにも拘らず、コンデンサ１０１と並列接続されるインピーダンスの劣化によりコンデンサ１０１の充電時間が変化してコンデンサ１０１が正常であるかの如く判断されるという課題を有する。
【０００８】
また、従来の特開昭６２−２３８４７１及び特開平５−２１５８００に開示される電気回路診断装置は以上のように構成されていたことから、診断するために診断対象機器内のコンデンサ１０１（又は２０５）の電圧を使用するためにコンデンサ１０１（又は２０５）の電圧を測定しなければならず、診断対象機器にコンデンサ１０１（又は２０５）の電圧を測定する手段を備えさせるか、診断対象機器を分解してコンデンサ１０１（又は２０５）の電圧を測定しなければならないという課題を有する。
【０００９】
本発明は、前記課題を解決するためになされ、静電容量低下方向の劣化による劣化診断を誤らず、コンデンサの電圧を直接測定しなくても診断対象機器の劣化の診断を行える電気回路診断方法を提供することを目的とする。
【００１０】
【課題を解決するための手段】
本発明に係る電気回路診断方法は、電源に接続される配線路をスイッチにより開閉し、第１の抵抗素子及び診断対象のコンデンサを有する診断対象機器を直列接続し、当該第１の抵抗素子及び診断対象機器に並列に接続され、前記第１の抵抗素子と同一の抵抗値を有する第２の抵抗素子及び前記診断対象機器の正常時における等価回路からなる正常機器を直列接続し、前記第１の抵抗素子及び診断対象機器の直列回路の電源供給線と第２の抵抗素子及び正常機器の直列回路の電源供給線を一方を順方向、他方を逆方向に電流が流れるように変流器一次側に通過させ、当該変流器２次側で発生した電流を検出する電流検出手段を接続し、前記スイッチを投入した後に前記電流検出手段で検出される過渡状態における特性変動により前記診断対象機器を診断するものである。このように本発明においては、診断対象機器と正常機器と同一抵抗値の２つの抵抗素子とを備えた構成とし、スイッチの投入により電圧を印加させ、この投入時の過渡状態における特性変動を検出しているので、診断対象機器と正常機器とに発生する過渡状態の各電流を直接比較して診断対象機器のコンデンサを含む総ての素子の劣化を総合的に判断することができる。さらに、診断対象機器の接続点をブリッジ回路の接続端子に接続するのみで、別途試験端子を設ける必要がなく、あわせて、負荷電流が流れることによる磁束変化により発生する電流を電流検出手段で測定するために回路全体の小型化を図ることができる。
【００１４】
【発明の実施の形態】
（本発明の第１の実施形態）以下、本発明の第１の実施形態に係る電気回路診断方法を電気回路診断装置と共に図１ないし図８に基づいて説明する。この図１は本実施形態に係る電気回路診断方法に使用する診断装置の全体回路図、図２は本実施形態に係る電気回路方法に使用する診断装置の部分回路図、図３は本実施形態に係る電気回路診断方法の動作フローチャート、図４は本実施形態に係るコンデンサの電圧動作状態図、図５は本実施形態に係る診断対象機器を電力用開閉器の制御回路とした場合の動作説明図、図６は図５に記載の電力用開閉器制御回路の詳細回路図、図７は図６に記載の制御回路の等価回路図、図８は本実施形態に係る診断対象として電力用開閉器の制御回路を用いた場合の電圧動作状態図を示す。前記各図において本実施形態に係る電気回路診断方法に使用する診断装置は、交流電源（図示を省略）に接続される配線路３００を開閉するスイッチ１と、前記交流電源から印加される電圧によりコンデンサが充電されるまでの過渡状態中にコンデンサ劣化を検出するブリッジ回路２を備える構成である。
【００１５】
このブリッジ回路２は、ブリッジ回路を形成する矩形回路の相隣る辺２ａ、２ｂの各中間に接続される同一の抵抗値からなる抵抗１１、１２と、前記矩形回路の他の２辺２ｃ、２ｄの各中間に形成され、診断対象機器４を接続するための診断接続端子１３及び正常機器３を接続するための正常接続端子１４と、前記抵抗１１及び診断接続端子１３の接続点ｃと抵抗１２及び正常接続端子１４の接続点ｄとの間（前記矩形回路の対角辺に相当）に接続される平衡検出回路１７とを備える構成である。この平衡検出回路１７は、前記ブリッジ回路の接続点ｃ及び接続点ｄの電位差を検出する電位差検出用トランス１５と、この電位差検出用トランス１５の二次巻線に接続される電圧計１６とから構成され、検流検出手段として採用される。
【００１６】
前記ブリッジ回路２は、前記各辺２ａ、２ｂ、２ｃ、２ｄの接続点ａ、ｂ、ｃ、ｄのうち対向する二つの接続点を電源接点ａ、ｂとしてスイッチ１を介して交流電源に接続されている。
前記正常接続端子１４に接続する正常機器３として図２（Ａ）に示す前記診断対象機器４の正常な状態における回路構成の正常機器回路に対応する等価回路として表すことができる。この正常機器３の回路は、入出力接点１４ａに接続されるダイオードブリッジ２０と、このダイオードブリッジ２０と接続点ｇを介して並列接続されている抵抗２１及び可変抵抗２２と、この抵抗２１と直列接続しているコンデンサ２３とを備える構成である。
【００１７】
前記診断接続端子１３に接続する診断対象機器４として図２（Ｂ）に示すように診断対象機器回路の等価回路として表すことができる。ここで、等価回路の抵抗２２、３２は、機器回路の負荷抵抗分であり、コンデンサ２３、３３の放電回路を形成するものである。この診断対象機器４の回路は、入出力接点１３ａに接続されるダイオードブリッジ３０と、このダイオードブリッジ３０と接続点ｅを介して並列接続されている抵抗３１、３２と、この抵抗３１と直列接続しているコンデンサ３３とを備える構成である。
【００１８】
次に、本実施形態に係る電気回路診断方法の静電容量診断動作について説明する。まず、スイッチ１を投入することで交流電源から交流電圧がブリッジ回路２に印加され、分岐したそれぞれの抵抗１１、１２に分流し、この分流した電流により正常機器３及び診断対象機器４の各コンデンサ２３、３３に電荷が充電される（ステップ１０）。このスイッチ１が投入された後の定常状態においてブリッジ回路２内の平衡が保たれているかを判断する（ステップ１１）。前記ステップ１１において、定常状態においてブリッジ回路２内の平衡が保たれていると判断した場合、スイッチ１を開放する（ステップ１２）。コンデンサ２３、３３の放電回路が形成され、コンデンサが放電する所定時間が経過するまで待機する（ステップ１３）。再びスイッチ１を投入することで、交流電源から交流電圧がブリッジ回路２に印加される（ステップ１４）。
【００１９】
前記スイッチ１の投入時からブリッジ回路２が定常状態になるまでの過渡状態を、電圧計１６を用いて平衡検出回路１７の過渡電圧を測定して測定電圧Ｖｎとして出力する（ステップ１５）。前記ステップ１５で測定した測定電圧Ｖｎの大きさが、基準値Ｖｒｅｆ以下であるかどうか判断する（ステップ１６）。前記ステップ１６において、この測定電圧Ｖｎの大きさが基準値Ｖｒｅｆ以下であると判断した場合は劣化無しであると判断し（ステップ１７）、基準値Ｖｒｅｆ以下でないと判断した場合は劣化有りであると判断する（ステップ１８）。  前記ステップ１１において、定常状態においてブリッジ回路２内の平衡が保たれていないと判断した場合、正常機器３の可変抵抗２２を調節して平衡状態にして（ステップ１９）、ステップ１１に移行する。即ち、この可変抵抗２２の調節により、診断対象機器４内におけるコンデンサ３３以外の素子の影響を排除できることとなる。
前記基準値Ｖｒｅｆは、０より許容される値であり、診断対象となる機器の製造誤差等と同程度の値である。
【００２０】
次に、診断接続端子１３に診断を行っていない診断対象機器である診断対象機器４Ａ、４Ｂを順次接続した場合について前記静電容量診断動作を図４を参照して説明を行う。図４において、αが正常機器３のコンデンサ２３による充電電圧特性図、βが診断対象機器４Ａのコンデンサ３３による充電電圧特性図、γが診断対象機器４Ｂのコンデンサ３３による充電電圧特性図を示す。同図において開始時刻Ｔ０より所定時間経過した時刻Ｔ１（過渡状態の範囲内）における電圧値は、コンデンサ２３の充電電位がＶ０、診断対象機器Ａのコンデンサ３３の充電電位がＶ１、診断対象機器Ｂのコンデンサ３３の充電電位がＶ２である。時刻Ｔ１において電圧計１６は診断対象機器４が診断対象機器Ａの場合に電位差｜Ｖ１−Ｖ０｜を示し、診断対象機器４が診断対象機器Ｂの場合に電位差｜Ｖ２−Ｖ０｜を示す。電位差｜Ｖ１−Ｖ０｜が基準値Ｖｒｅｆより以下であるため診断対象機器４Ａは劣化無しであると判断し、電位差｜Ｖ２−Ｖ０｜が基準値Ｖｒｅｆより以下でないため診断対象機器４Ｂは劣化有りであると判断する。
【００２１】
前記電気回路診断方法が例として対象とする診断対象装置としては図５及び図６に示すような電力用開閉器４４の制御回路があり、正常機器としてはこの電力用開閉器４４の制御回路に対応する等価回路である図７がある。図５における自動化子局４２に接続されている電源線４０を自動化子局４２より外して電気回路診断装置に接続し、診断対象装置である電力用開閉器の制御回路接続線４５を自動化子局４２より外して電気回路診断装置の診断接続端子１３に接続して、上記と同様に電気回路診断装置を動作させる。このように電力用開閉器４４の制御回路に対して電気回路診断装置を使用することで、電力用開閉器４４の制御回路内のコンデンサの劣化を簡単に診断することができる。
【００２２】
図８（Ａ）は、診断対象装置が正常であった場合において、▲１▼は接続点ｄ・接続点ｂ間の時系列の電圧のグラフ、▲２▼は接続点ｃ・接続点ｂ間の時系列の電圧のグラフ、▲３▼は接続点ｃ・接続点ｄ間の時系列の電圧のグラフを示す。図８（Ｂ）は、診断対象装置が劣化している場合において、▲１▼は接続点ｄ・接続点ｂ間の時系列の電圧のグラフ、▲２▼は接続点ｃ・接続点ｂ間の時系列の電圧のグラフ、▲３▼は接続点ｃ・接続点ｄ間の時系列の電圧のグラフを示す。図８（Ａ）▲１▼と▲２▼とは電圧の波形がほぼ同一で、▲３▼は▲１▼と▲２▼との差分が波形に生じるのでほぼゼロの一定となり、診断対象装置に劣化が生じてないことがわかる。図８（Ｂ）▲１▼と▲２▼とは電圧の波形が過渡状態において波形が異なり、▲３▼は▲１▼と▲２▼との差分が波形に生じるので同様に過渡状態において波形が一定とならず、診断対象装置に劣化が生じていることがわかる。
【００２３】
このように本実施形態に係る電気回路診断方法によれば、ブリッジ回路２の診断接続端子１３及び正常接続端子１４に、診断対象機器４と正常機器３をそれぞれ接続し、スイッチ１を投入して電圧を印加してブリッジ回路２を一旦定常状態にし、可変抵抗２２の調節によりブリッジ回路２を可能な限り平衡に近づけた後に、スイッチ１を開放して電圧の印加を停止し、コンデンサ２３,３３が放電後スイッチ１を投入して電圧を印加すると、過渡状態において、ブリッジ回路２の平衡が保たれている場合は電圧計１６で電圧が検出されず、ブリッジ回路２の平衡が保たれていない場合は電圧計１６で電圧が検出されるので、過渡状態において所定以上に電圧計１６で電圧が検出されていない場合はブリッジ回路２の平衡が保たれて診断対象機器４内のコンデンサ３３の劣化はないと判断でき、過渡状態において所定以上に電圧計１６で電圧が検出される場合はブリッジ回路２の平衡が保たれず診断対象機器４内のコンデンサ３３の劣化があると判断でき、診断対象機器４と正常機器３とを電気回路診断装置に接続することで簡単に診断対象機器４内のコンデンサ３３の劣化を診断することができる。
【００２４】
（本発明の第２の実施形態）以下、本発明の第２の実施形態に係る電気回路診断方法を図９に基づいて説明する。この図９は本実施形態に係る電気回路診断方法に使用する診断装置の全体回路図を示す。前記図９において本実施形態に係る電気回路診断方法に使用する診断装置は、交流電源（図示を省略）に接続される配線路４００を開閉するスイッチ４０１を有し、抵抗４１１及び正常機器３を接続するための正常接続端子４１４を直列接続し、この抵抗４１１及び正常接続端子４１４に並列に接続され、前記抵抗４１１と同一の抵抗値を有する抵抗４１２及び診断対象機器４０４を接続するための診断接続端子４１３を直列接続し、前記抵抗４１１及び正常接続端子４１４の電源供給線と抵抗４１２及び診断接続端子４１３の電源供給線を、一方を順方向、他方を逆方向に電流が流れるように各電源供給線をクランプして電流検出回路４１７を配設した構成である。
【００２５】
前記正常接続端子４１４に接続する正常機器及び診断接続端子４１３に接続する診断対象機器は、前記第１の実施形態と同様に正常機器３及び診断対象機器４である。
前記電流検出回路４１７は、変流器４１５及び電流計４１６からなり、負荷電流Ｉ２が流れることによる磁束変化により変流器４１５で発生する電流を電流計４１６で検出する構成である。
【００２６】
次に、本実施形態に係る電気回路診断方法の静電容量診断動作について説明する。まず、スイッチ４０１を投入することで交流電源から交流電流が分岐したそれぞれの抵抗４１１、４１２に流れ、この分流した電流により正常機器３及び診断対象機器４の各コンデンサ２３、３３に電荷が充電される。この充電電流を含む各負荷電流Ｉ１、Ｉ２は、スイッチ４０１が投入された後の定常状態になるまでの過渡電流として流れる。この各負荷電流Ｉ１、Ｉ２による磁束変化より生じる測定電流Ｉｎを電流計４１６を用いて電流検出回路４１７の過渡電流として出力する。この測定した測定電流Ｉｎの大きさが、基準値Ｉｒｅｆ以下であるかどうか判断し、この測定電流Ｉｎの大きさが基準値Ｉｒｅｆ以下であると判断した場合は劣化無しであると判断し、基準値Ｉｒｅｆ以下でないと判断した場合は劣化有りであると判断する。前記基準値Ｉｒｅｆは、０より許容される値であり、診断対象となる機器の製造誤差等と同程度の値である。
【００２７】
本実施形態に係る電気回路診断方法によれば、診断接続端子４１３及び正常接続端子４１４に、診断対象機器４と正常機器３をそれぞれ接続し、スイッチ４０１を投入して電圧を印加すると、過渡状態において逆方向同士に略同一の電流が流れている場合は電流計４１６で電流が検出されず、略同一の電流が流れていない場合は電流計４１６で電流が検出されるので、過渡状態において所定以上に電流計４１６で電流が検出されていない場合は診断対象機器４内のコンデンサ３３の劣化はないと判断でき、過渡状態において所定以上に電流計４１６で電流が検出される場合は診断対象機器４内のコンデンサ３３の劣化があると判断でき、診断対象機器４と正常機器３とを電気回路診断装置に接続することで簡単に診断対象機器４内のコンデンサ３３の劣化を診断することができる。さらに、変流器４１５を用いて負荷電流Ｉ２による磁束変化により発生する電流を電流検出回路４１７の電流計４１６で測定するために回路全体の小型化を図ることができる。
【００２８】
（本発明のその他の実施形態）なお、前記第１の実施形態に係る電気回路診断方法においては、正常機器３の接続辺に可変抵抗２２を備えさせているが、備えさせなくてもよく、動作時にステップ１０〜１３を行うことなしに、ステップ１４以下を行う構成とすることもでき、診断対象機器４と正常機器３とを直接比較して診断対象機器４のコンデンサ３３を含む総ての素子の劣化を総合的に判断することができる。さらに、診断対象機器４の入出力接点１３ａをブリッジ回路２の診断接続端子１３に接続するのみで、別途接続端子を設ける必要がない。
【００２９】
また、前記第１の実施形態に係る電気回路診断方法においては、動作時に予め回路毎に定めてある抵抗分の誤差を可変抵抗２２で調節し、ステップ１０〜１３を行うことなしに、ステップ１４以下を行う構成とすることもでき、診断対象機器４内の抵抗の製造誤差等を補正した上で、診断対象機器４と正常機器３とを直接比較して診断対象機器４の劣化を判断することができる。また、前記第１の実施形態に係る電気回路診断方法においては、ブリッジ回路２内の抵抗１１、１２の抵抗値を診断対象機器４が不動作となる値以上に選定することもでき、診断対象機器４が動作することによるインピーダンス変動を防止して高精度の診断ができる。
【００３０】
また、前記第１の実施形態に係る電気回路診断方法においては、ブリッジ回路２内の抵抗１１、１２の抵抗値を診断対象機器４のインピーダンス値以上に選定することもでき、正常機器３に印加させる電圧を低くくすることもできて電気回路診断装置を小型軽量化することができる。また、前記第１の実施形態に係る電気回路診断方法においては、電源に交流電源を用いているが、直流電源とすることもでき、対角辺の平衡検出回路部１７を直流検流計とし、前記スイッチ１を投入した後の過渡状態時のこの検流計に流れる電流の方向により、いずれのコンデンサ２３、３３の静電容量が大きいかを判別し、当該判別結果に基づいて前記診断対象機器４を診断することができる。
【００３１】
【発明の効果】
本発明においては、診断対象機器と正常機器と同一抵抗値の２つの抵抗素子とを備えた構成とし、スイッチの投入により電圧を印加させ、この投入時の過渡状態における特性変動を検出しているので、診断対象機器と正常機器とに発生する過渡状態の各電流を直接比較して診断対象機器のコンデンサを含む総ての素子の劣化を総合的に判断することができるという効果を有する。さらに、診断対象機器の接続点をブリッジ回路の接続端子に接続するのみで、別途試験端子を設ける必要がなく、あわせて、負荷電流が流れることによる磁束変化により発生する電流を電流検出手段で測定するために回路全体の小型化を図ることができるという効果を有する。
【図面の簡単な説明】
【図１】本発明の第１の実施形態に係る電気回路診断方法に使用する診断装置の全体回路図である。
【図２】本発明の第１の実施形態に係る電気回路診断方法に使用する診断装置の部分回路図である。
【図３】本発明の第１の実施形態に係る電気回路診断方法の動作フローチャートである。
【図４】本発明の第１の実施形態に係るコンデンサの電圧動作状態図である。
【図５】本発明の第１の実施形態に係る診断対象機器を電力用開閉器の制御回路とした場合の動作説明図である。
【図６】図５に記載の電力用開閉器制御回路の詳細回路図である。
【図７】図６に記載の制御回路の等価回路図である。
【図８】本発明の第１の実施形態に係る診断対象として電力用開閉器の制御回路を用いた場合の電圧動作状態図である。
【図９】本発明の第２の実施形態に係る電気回路診断方法に使用する診断装置の全体回路図である。
【図１０】従来の電気回路診断装置の概念図である。
【図１１】従来の電気回路診断装置の概念図である。
【符号の説明】
ａ、ｂ 電源接点
ｃ、ｄ、ｅ、ｆ、ｇ、ｈ 接続点
１、４０１ スイッチ
２ ブリッジ回路
２ａ、２ｂ、２ｃ、２ｄ 辺
３ 正常機器
４ 診断対象機器
１１、１２、２１、３１、３２、４１１、４１２ 抵抗
１３、４１３ 診断接続端子
１３ａ、１４ａ 入出力接点
１４、４１４ 正常接続端子
１５ 電位差検出用トランス
１６ 電圧計
１７ 平衡検出回路
２０、３０ ダイオードブリッジ
２２ 可変抵抗
２３、３３ コンデンサ
４０ 電源線
４１ 電源スイッチ
４２ 自動化子局
４３ 制御電源トランス
４４ 電力用開閉器
４５ 制御回路接続線
１０１ 電界コンデンサ
１０２ 放電抵抗器
１０３ 電圧分圧器
１０７ 警報器
１２１ アナログ／デジタル変換機
１２２ 演算装置
１２３ 記録装置
２０１ バッテリ
２０２ パワートランジスタ
２０３ モータ
２０４ 抵抗
２０５ 電解コンデンサ
２０６ 電圧検出部
２０７ 診断装置
３００、４００ 配線路
４１５ 変流器
４１６ 電流計
４１７ 電流検出回路
α 正常機器のコンデンサによる充電電圧特性図
β 診断対象機器Ａのコンデンサによる充電電圧特性図
γ 診断対象機器Ｂのコンデンサによる充電電圧特性図
【図１】
0003964654.tif 000002
【図２】
0003964654.tif 000003
【図３】
0003964654.tif 000004
【図４】
0003964654.tif 000005
【図５】
0003964654.tif 000006
【図６】
0003964654.tif 000007
【図７】
0003964654.tif 000008
【図８】
0003964654.tif 000009
【図９】
0003964654.tif 000010
【図１０】
0003964654.tif 000011
【図１１】
0003964654.tif 000012